(57)【要約】  サーマルインタフェース（１１８）は、熱伝導性キャップ（１２０）を含んでいる。熱伝導性キャップは、ベースと、指状部と、延長部とを含んでいる。ベースは、複数のキャップ開口を画定している。指状部はベースから延びている。延長部はベースから延びている。サーマルインタフェースはまた、複数のガスケット開口を画定するガスケット（１２２）を含んでいる。ガスケットはキャップのベースの上に、ガスケット開口がキャップ開口と重なって位置付けられるように配置されている。キャップ及びガスケット開口の中に配置された複数のリードを有する光学サブアセンブリ（１０８）を備える光電子モジュール（１００）が記載されている。
2019516234.tif 000002
【特許請求の範囲】
【請求項１】
サーマルインタフェースであって、
熱伝導性キャップであって、
複数のキャップ開口を画定するベースと、
前記ベースから延びる指状部と、
前記ベースから延びる延長部と
を含む熱伝導性キャップと、
複数のガスケット開口を画定するガスケットであって、前記キャップのベースの上に、前記ガスケット開口が前記キャップ開口と重なって位置付けられるように配置されるガスケットと
を含む、サーマルインタフェース。
【請求項２】
柔軟なサーマルインタフェースマテリアルを含むパッドをさらに含む、請求項１に記載のサーマルインタフェース。
【請求項３】
前記ガスケットと前記キャップのベースとの間に配置された接着剤をさらに含む、請求項１に記載のサーマルインタフェース。
【請求項４】
前記ガスケット開口が前記キャップ開口よりも小さい、請求項１に記載のサーマルインタフェース。
【請求項５】
前記指状部が第１の指状部であり、前記キャップが、前記第１の指状部を含む複数の指状部を含む、請求項１に記載のサーマルインタフェース。
【請求項６】
前記延長部の長さが前記指状部の長さより長い、請求項１に記載のサーマルインタフェース。
【請求項７】
前記キャップが、光学サブアセンブリのヘッダの端面に位置付けられるように構成され、前記指状部及び前記延長部が前記ヘッダの側面に位置付けられるように構成される、請求項１に記載のサーマルインタフェース。
【請求項８】
前記キャップが銅を含む、請求項１に記載のサーマルインタフェース。
【請求項９】
光電子モジュールであって、
台座を含む外郭と、
複数のリードを有するヘッダを含む光学サブアセンブリと、
サーマルインタフェースであって、
複数のキャップ開口を画定するベースと、
前記ベースから延びる指状部と、
前記ベースから延びる延長部と
を含む熱伝導性キャップと、
複数のガスケット開口を画定するガスケットであって、前記キャップのベースの上に、前記ガスケット開口が前記キャップ開口と重なって位置付けられるように配置されるガスケットと
を含むサーマルインタフェースと
を含み、
前記キャップが前記光学サブアセンブリのヘッダの上に、前記リードが前記キャップ開口及び前記ガスケット開口の中に配置され、且つ前記キャップの延長部が前記外郭の台座の中に位置付けられるように位置決めされる、光電子モジュール。
【請求項１０】
前記サーマルインタフェースが、前記外郭の台座と前記キャップの延長部との間に配置されたパッドをさらに含み、前記パッドが柔軟なサーマルインタフェースマテリアルを含む、請求項９に記載の光電子モジュール。
【請求項１１】
前記サーマルインタフェースが、前記ガスケットと前記キャップのベースとの間に配置された接着剤をさらに含む、請求項９に記載の光電子モジュール。
【請求項１２】
前記ガスケット開口が前記キャップ開口よりも小さい、請求項９に記載の光電子モジュール。
【請求項１３】
前記指状部が第１の指状部であり、前記キャップが、前記第１の指状部を含む複数の指状部を含む、請求項９に記載の光電子モジュール。
【請求項１４】
前記延長部の長さが前記指状部の長さよりも長い、請求項９に記載の光電子モジュール。
【請求項１５】
前記キャップが銅を含む、請求項９に記載の光電子モジュール。
【請求項１６】
前記光学サブアセンブリがトランスミッタ光学サブアセンブリを含む、請求項９に記載の光電子モジュール。
【請求項１７】
前記トランスミッタ光学サブアセンブリが熱電クーラを含む、請求項１６に記載の光電子モジュール。
【請求項１８】
光電子モジュールであって、
台座を含む外郭と、
複数のリードを有するヘッダを含む光学サブアセンブリと、
サーマルインタフェースであって、
複数のキャップ開口を画定するベースと、
前記ベースから延びる複数の指状部と、
前記ベースから延びる延長部であって、延長部の長さが前記複数の指状部の長さより長い延長部と
を含む熱伝導性キャップと、
前記キャップ開口より小さい複数のガスケット開口を画定するガスケットであって、前記キャップのベースの上に、前記ガスケット開口が前記キャップ開口と重なって位置付けられるように配置され、前記キャップが前記光学サブアセンブリのヘッダの上に、前記リードが前記キャップ開口及び前記ガスケット開口の中に配置され、且つ前記キャップの延長部が前記外郭の台座の中に位置付けられるように位置決めされる、ガスケットと、
前記ガスケットと前記キャップのベースとの間に配置された接着剤と、
前記外郭の台座と前記キャップの延長部との間に配置されたパッドであって、柔軟なサーマルインタフェースマテリアルを含むパッドと
を含むサーマルインタフェースと
を含む、光電子モジュール。
【請求項１９】
前記光学サブアセンブリがトランスミッタ光学サブアセンブリを含む、請求項１８に記載の光電子モジュール。
【請求項２０】
前記キャップが銅を含む、請求項１８に記載の光電子モジュール。
【発明の詳細な説明】
【技術分野】
【０００１】
本発明は、光電子モジュールに関し、特に、サーマルインタフェースを有する光電子モジュールに関する。
【背景技術】
【０００２】
電子又は光電子トランシーバ又はトランスポンダモジュール等の通信モジュールは、電子及び光電子通信においてますます使用されている。各通信モジュールは典型的に、ホストデバイスのプリント回路基板と、ホストデバイスのプリント回路基板へ、及び／又は、ホストデバイスのプリント回路基板から電気データ信号を送信及び／又は受信することによって通信する。通信モジュールはまた、ホストデバイスの外部で電気データ信号を光及び／又は電気データ信号として送信することもできる。多くの通信モジュールはトランスミッタ光学サブアセンブリ（個々に、“ＴＯＳＡ”（ｔｒａｎｓｍｉｔｔｅｒ  ｏｐｔｉｃａｌ  ｓｕｂａｓｓｅｍｂｌｙ））及び／又はレシーバ光学サブアセンブリ（個々に、“ＲＯＳＡ”（ｒｅｃｅｉｖｅｒ  ｏｐｔｉｃａｌ  ｓｕｂａｓｓｅｍｂｌｙ））等の光学サブアセンブリ（個々に、“ＯＳＡ”（ｏｐｔｉｃａｌ  ｓｕｂａｓｓｅｍｂｌｙ））を含み、電気及び光ドメイン間の変換を行う。
【０００３】
一般に、ＲＯＳＡは光ファイバ又は他のソースから受信した光信号をホストデバイスに供給される電気信号に変換し、ＴＯＳＡはホストデバイスから受信した電気信号を光ファイバ又はその他の送信媒体へと発せられる光信号に変換する。ＲＯＳＡに含まれるフォトダイオード又は同様の光学レシーバは、光信号を電気信号に変換する。光学サブアセンブリ内に含まれるレーザダイオード又は同様の光学トランスミッタは、ホストデバイスから受信する電気信号を表す光信号を発するように駆動される。
【発明の概要】
【発明が解決しようとする課題】
【０００４】
本発明の目的は、上記した光電子モジュールをより向上させた光電子モジュールを提供することにある。
【課題を解決するための手段】
【０００５】
この概要は、以下にさらに説明する概念の中から選択されたものを簡単な形で紹介するために提供される。この概要は、特許請求される主旨の主要な特徴又は本質的な特性を特定しようとするものではなく、また、特許請求される主旨の範囲を判断するための助けとして使用されることも意図されていない。
【０００６】
実施形態は、熱伝導性キャップを含むサーマルインタフェースを含んでいてもよい。熱伝導性キャップは、ベースと、指状部と、延長部とを含んでいてもよい。ベースは複数のキャップ開口を画定してもよい。指状部はベースから延びていてもよい。延長部はベースから延びていてもよい。サーマルインタフェースはまた、複数のガスケット開口を画定するガスケットも含んでいてよい。ガスケットはキャップのベースの上に、ガスケット開口がキャップ開口と重なって位置付けられるように配置されてもよい。
【０００７】
本発明の追加的な特徴と利点は、以下の説明の中に示され、一部は説明から自明であるか、又は本発明の実施により知ることができる。本発明の特徴と利点は、付属の特許請求の範囲の中で具体的に指摘された手段及び組合せによって実現され、得られる。本発明のこれら及びその他の特徴は、以下の説明及び付属の特許請求の範囲からより十分に明らかとなり、又は後述する本発明の実施により知ることができる。
【０００８】
本発明の上記及びその他の利点と特徴をさらに明瞭にするために、本発明のより具体的な説明が、添付の図面に描かれているその特定の実施形態に関して提供される。これらの図面は、発明の例示的な実施形態を示しているにすぎず、したがって、その範囲を限定するものとはみなされないものとする。本発明は、添付の図面を使ってさらに明確且つ詳細に記載、説明される。
【図面の簡単な説明】
【０００９】
【図１Ａ】光電子モジュールの下側斜視図を示す。
【図１Ｂ】図１Ａの光電子モジュールの部分下側斜視図を示す。
【図１Ｃ】図１Ａの光電子モジュールの部分分解下側斜視図を示す。
【図２Ａ】トランスミッタ光学サブアセンブリ（ＴＯＳＡ）、キャップ、及びガスケットを含むアセンブリの側方斜視図を示す。
【図２Ｂ】トランスミッタ光学サブアセンブリ（ＴＯＳＡ）、キャップ、及びガスケットを含むアセンブリの側方斜視図を示す。
【図２Ｃ】図２Ａ及び２Ｂのアセンブリの側面図を示す。
【図３】図２Ａ〜２Ｃのキャップ及びガスケットの分解斜視図を示す。
【図４】図２Ａ〜２Ｃのアセンブリ並びにプリント回路基板（ＰＣＢ）及びコネクタを含むアセンブリの分解斜視図を示す。
【発明を実施するための形態】
【００１０】
光信号を電気信号に、及び電気信号を光信号に変換するプロセスは、トランスミッタ光学サブアセンブリ（個々に、“ＴＯＳＡ”）、及び／又はレシーバ光学サブアセンブリ（個々に、“ＲＯＳＡ”）等の光学サブアセンブリ（個々に、“ＯＳＡ”）において熱エネルギーを生じさせる。光学サブアセンブリの中で生成される熱エネルギーは、光学サブアセンブリに損傷を与えることがある。これに加えて、高温の環境は不安定な熱状態を作りだす可能性があり、これは光学サブアセンブリの機能を無効にする原因となりかねない。
【００１１】
例えば、ＴＯＳＡの場合、高温の環境はレーザの性能を低下させる可能性があり、或いはレーザの早期故障の原因となる可能性がある。高温はまた、光学サブアセンブリ内のエポキシ樹脂、はんだ、及び／又はその他の結合材料に対する問題も引き起こし得る。このような高温は、温度が高くなりすぎて、光学サブアセンブリ内に取り付けられた熱電クーラ（ＴＥＣ）によって有効に発散させ、制御することができなくなることがある。
【００１２】
いくつかの実施形態は、光学サブアセンブリにより生成される熱を発散させるためのサーマルインタフェースを含んでいる。いくつかの構成では、サーマルインタフェースは、熱をＴＯＳＡ等の光学サブアセンブリから光学サブアセンブリを格納する通信モジュールの外郭又は筐体へと伝える。いくつかの実施形態において、光学サブアセンブリはまた、熱電クーラ（ＴＥＣ）も含んでいてよい。ＴＥＣが含まれている場合、サーマルインタフェースによってＴＥＣによるより有効な熱発散と制御が容易となり得る。例えば、サーマルインタフェースによって、比較的扱いやすい熱レベルとすることが可能になる。
【００１３】
図面を参照するが、同様の、又は同等の構成要素は同じ参照番号を使って指示される。
図１Ａ〜１Ｃは、例示的な光電子モジュール１００の様々な下側斜視図である。
図１Ａは、光電子モジュール１００の下側斜視図であり、これは、相互に取り付けられた外郭１０４及び外郭カバー１０６を有する筐体１０２を含む。光電子モジュール１００は、筐体１０２に対して移動可能に位置付けられたラッチ機構１１４を含む。ラッチ機構１１４により、光電子モジュール１００をホストデバイスに関して選択的に固定できる。
【００１４】
筐体１０２は、レシーバ及び／又はトランスミッタ回路を少なくとも部分的に取り囲んでいてもよく、これはホストデバイスに電気的に連結されるように構成されたエッジコネクタ１１２を有するプリント回路基板（ＰＣＢ）１１０を含む。例えば、光電子モジュール１００は、ホストデバイスのホストデバイスケージの中に挿入されるように構成されていてもよく、それによってエッジコネクタ１１２がホストのプリント回路基板のコネクタに電気的に連結される。
【００１５】
一般に、光電子モジュール１００は、光信号の通信と、電気信号への、及び電気信号から光信号への変換において利用されてもよい。これに関連して、ホストデバイスは対応する電気信号の通信において利用されてもよい。
【００１６】
光電子モジュール１００は、光電子モジュール１００の前面に送信ポートと受信ポートを含んでいてもよい。光電子モジュール１００は、送信ポート及び受信ポートを介した様々なデータレート、例えば、限定的ではないが、１．２５Ｇｂ／ｓ、２．１２５Ｇｂ／ｓ、２．５Ｇｂ／ｓ、２．７Ｇｂ／ｓ、４．２５Ｇｂ／ｓ、８．５Ｇｂ／ｓ、１０．３Ｇｂ／ｓ、１０．５Ｇｂ／ｓ、１１．３Ｇｂ／ｓ、１４．０２５Ｇｂ／ｓ、もしくは１００Ｇｂ／ｓ、又はそれより高いレートでの光信号の送信及び受信を行うように構成されていてもよい。
【００１７】
光電子モジュール１００は、各種の波長、例えば、限定ではないが、８５０ｎｍ、１３１０ｎｍ、１４７０ｎｍ、１４９０ｎｍ、１５１０ｎｍ、１５３０ｎｍ、１５５０ｎｍ、１５７０ｎｍ、１５２０〜１５７０ｎｍ、１５９０ｎｍ、又は１６１０ｎｍの光信号の送信及び受信を行うように構成されていてもよい。光電子モジュール１００は、各種の通信プロトコル、例えば、限定ではないが、Ｏｐｔｉｃａｌ  Ｆａｓｔ  Ｅｔｈｅｒｎｅｔ（登録商標）、Ｏｐｔｉｃａｌ  Ｇｉｇａｂｉｔ  Ｅｔｈｅｒｎｅｔ（登録商標）、１０  Ｇｉｇａｂｉｔ  Ｅｔｈｅｒｎｅｔ（登録商標）、並びに１ｘ、２ｘ、４ｘ、８ｘ、及び１６ｘ  Ｆｉｂｒｅ  Ｃｈａｎｎｅｌをサポートするように構成されてもよい。
【００１８】
これに加えて、光電子モジュール１００の１つの例はＳＦＰ  ＭＳＡに実質的に適合するフォームファクタを有するように構成されるが、光電子モジュール１００は代替的に、その他のＭＳＡ、例えば、限定ではないが、ＱＳＦＰ  ＭＳＡ、ＱＳＦＰ＋ＭＳＡ、ＣＦＰ  ＭＳＡ、ＣＦＰ２  ＭＳＡ、ＣＦＰ４  ＭＳＡ、ＸＦＰ  ＭＳＡ、又はＳＦＰ＋ＭＳＡに実質的に適合する各種のフォームファクタで構成されてもよい。さらに、光電子モジュール１００はプラグ接続可能な光電子トランシーバモジュールとして描かれているが、本明細書において開示されている例示的実施形態は代替的に、例えば他の通信モジュール、他の光電子デバイス、又はその他と共に利用されてもよい。
【００１９】
図１Ｂは、図１Ａの光電子モジュール１００の下側斜視図であり、外郭カバー１０６とラッチ機構１１４が省かれている。光電子モジュール１００は、ＴＯＳＡ１０８とＲＯＳＡ１０９を含む。
【００２０】
ＴＯＳＡ１０８は熱電クーラ（ＴＥＣ）を含んでいてもよい。ＴＯＳＡ１０８のヘッダ１１１の本体は、ＣＲＳホールディングス社が所有する商標コバール（Ｋｏｖａｒ）に関連付けられるニッケル−コバルト鉄合金から形成されてもよい。この合金は、少なくとも一部に、その熱膨張特性により採用されてもよく、これはガラスの熱膨張特性と密接に近似し得、それによってガラス−合金アセンブリを広い温度範囲に曝すことができるようにする。代替的又は追加的に、ヘッダ１１１の本体は他の材料を含んでいてもよい。ヘッダ１１１で使用される材料は、比較的低い熱伝導率を示し得る。例えば、コバールは、銅のそれの約半分の熱伝導率を示す。それゆえ、例えば、ＴＯＳＡ１０８と外郭１０４との間の、ヘッダ１１１を通じた伝導性熱伝達に大きく依存する熱伝導接続は、比較的不効率性を示し得る。
【００２１】
コネクタ１１６は、ＴＯＳＡ１０８をプリント回路基板（ＰＣＢ）１１０に通信可能に接続してもよい。それゆえ、例えば、ＴＯＳＡ１０８はコネクタ１１６を介してＰＣＢ１１０と信号を交換し、及び／又はそこから電力を受け取る。コネクタ１１６は、ＰＣＢ１１０にはんだ付けされ、且つＴＯＳＡ１０８にはんだ付けされるフレキシブルＰＣＢを含んでいてもよい。
【００２２】
図１Ｃは、図１Ｂの光電子モジュール１００の分解下側斜視図である。いくつかの実施形態において、サーマルインタフェース１１８はキャップ１２０と、ガスケット１２２と、パッド１２４とを含んでいてもよい。ガスケットという用語の使用は、ガスケット１２２が液密接続を容易にすることを含意していない。パッド１２４は柔軟なサーマルインタフェースマテリアル（ＴＩＭ）を含んでいてもよく、比較的高い熱伝導性を示す。パッド１２４は、外郭１０４の取付台の中に配置されてもよい。キャップ１２０を含むＴＯＳＡ１０８が組立中に外郭１０４の中に位置付けられると、パッド１２４は、ＴＯＳＡ１０８とキャップ１２０が収容されるように圧縮される。いくつかの実施形態において、パッド１２４は図のように複数の部分を含んでいてもよい。代替的に、パッド１２４は１つの部品であってもよい。
【００２３】
図２Ａ及び２Ｂは、図１Ａ〜１ＣのＴＯＳＡ１０８、キャップ１２０、及びガスケット１２２の側面斜視図である。図２Ｃは、ＴＯＳＡ１０８、キャップ１２０、及びガスケット１２２の側面図である。
【００２４】
図２Ａ〜２Ｃに関して、キャップ１２０は比較的高い熱伝導性を示してもよい。例えば、キャップ１２０は銅、めっきされた銅、１種又は複数の銅合金、及び／又は比較的高い熱伝導性を示す１種又は複数のその他の材料から形成される。いくつかの実施形態において、キャップ１２０は少なくとも一部に、１種又は複数のスタンピング工程により製造される。
【００２５】
キャップ１２０は、１つ又は複数の指状部１２８と延長部１２６を含む。指状部１２８は、ヘッダ１１１の側面に位置付けられるような大きさと形状であってもよい。いくつかの実施形態において、指状部１２８の長さはヘッダ１１１の長さ及び／又はヘッダ１１１の比較的広い部分とほぼ等しい。例えば、指状部１２８の長さは、ヘッダ１１１のベース部とほぼ等しい。代替的に、指状部１２８は、キャップ１２０をヘッダ１１１上に位置付けやすくするその他の長さであってもよい。延長部１２６もまた、ヘッダ１１１の側面に位置付けられる大きさと形状であってよい。延長部１２６の長さは指状部１２８より長くてもよい。例えば、延長部１２６の長さは、ヘッダ１１１より長くても、又はヘッダ１１１のベース部より長くてもよい。延長部１２６の幅は、図１Ａ〜１Ｃの外郭１０４の対応する台座の幅の大きさと相関していてもよい。延長部１２６は、キャップ１２０のうちヘッダ１１１と接触している部分からパッド１２４及び外郭１０４までの所望の速度での熱エネルギーの伝達を容易にするのに適した長さを含んでいてもよい。
【００２６】
キャップ１２０は、ヘッダ１１１の端面１１３（図２Ｃに示される）上に配置されるベース１２１を含み、端面は導電リード１３０を含むヘッダ１１１の壁の外面であってもよい（本明細書では端壁として記される）。リード１３０はコネクタ１１６に取り付けられて、ＴＯＳＡ１０８が動作できるようにしてもよい。
【００２７】
ヘッダ１１１の本体内で、リード１３０の幾つか又は全部は、レーザ、熱電クーラ（ＴＥＣ）、制御回路、及びその他の構成部品に伝導性があるように取り付けられる。ＴＯＳＡ１０８の構成部品のほとんど又は全部は、ヘッダ１１１の端壁の内面に、又はその付近に配置されてよい。それゆえ、例えば、端壁と端面１１３は、ヘッダ１１１の他の部分より、ＴＯＳＡ１０８の構成部品により生成される熱エネルギーを比較的多く受け取る。ヘッダ１１１の端壁及びその付近の部分からの熱エネルギーは、キャップ１２０のベース１２１へと流れる。ベース１２１から、熱エネルギーは延長部１２６へと流れる。
【００２８】
いくつかの実施形態において、ベース１２１等、キャップ１２０の一部は、従来の熱伝達装置と比べて、ヘッダ１１１の中の熱源により近く配置されてもよい。さらに、キャップ１２０はヘッダ１１１の端面１１３及び側面との比較的大きい接触面積を示していてもよく、これは伝導を通じたヘッダ１１１からキャップ１２０への比較的早い速度での熱伝達を促進し得る。
【００２９】
図１Ｂ〜１Ｃ及び２Ａ〜２Ｃに関して、パッド１２４はキャップ１２０の外郭１０４と延長部１２６の両方と接触する形状であってもよく、熱エネルギーはキャップ１２０の延長部１２６から外郭１０４へとパッド１２４を介して伝導性があるように伝達されてもよい。パッド１２４を圧縮することにより、パッド１２４とキャップ１２０及び／又は外郭１０４との間の、熱エネルギーの伝達を抑制し得る空気の充満したギャップが減り、又は排除される。
【００３０】
パッド１２４は、キャップ１２０と外郭１０４との間の直接接触よりも、キャップ１２０と外郭１０４との間の比較的効率のよい熱伝導接続を容易にする。例えば、キャップ１２０と外郭１０４との間の直接接触は不完全であり、その結果、キャップ１２０と外郭１０４との間に空気の充満したギャップが生じる。代替的又は追加的に、キャップ１２０と外郭１０４との間の直接接触は、光電子モジュール１００が移動させられたときに、接続により示される熱伝導性における偏差の原因となり得る。いくつかの実施形態において、パッド１２４はなくてもよい。例えば、キャップ１２０と外郭１０４との間に直接接触がなされてもよい。
【００３１】
いくつかの実施形態において、サーマルインタフェース１１８の構成は、光電子モジュール１００の浮揚型のＯＳＡ構成を容易にする。それゆえ、例えば、ＴＯＳＡ１０８はそれほど機械的制約を受けず、コネクタの寸法、製造公差、又はその他のばらつきに対応できる。代替的又は追加的に、サーマルインタフェース１１８の構成は、光電子モジュール１００が移動させられたときにサーマルインタフェース１１８の構成により示される熱伝導性の偏差に抵抗し得る。
【００３２】
いくつかの実施形態において、サーマルインタフェース１１８は、光電子モジュール１００による電力消費の削減を容易にする。いくつかの実施形態において、電力消費は最大２６．４ミリワット（ｍＷ）削減され得る。代替的に、電力消費は２６．４ｍＷより多く削減される。それゆえ、例えば、サーマルインタフェース１１８は歩留まり損失の低減を容易にする。いくつかの実施形態において、サーマルインタフェース１１８は、高出力のＴＯ−ＣＡＮ（Ｔｒａｎｓｉｓｔｏｒ  Ｏｕｔｌｉｎｅ−ＣＡＮ）ベースのＯＳＡを有する通信モジュールで採用されてもよい。
【００３３】
図３は、キャップ１２０とガスケット１２２の分解斜視図である。キャップ１２０に形成された開口１２５（本明細書では「キャップ開口１２５」と記される）と、これに対応するガスケット１２２に形成された開口１２７（本明細書では「ガスケット開口１２７」と記される）は、ヘッダ１１１のリード１３０が（図２Ａ〜２Ｃに示される）、キャップ１２０とガスケット１２２を通るように構成されてもよく、それによってリード１３０をコネクタ１１６にはんだ付けしてもよい（図１Ｂ〜１Ｃ）。ガスケット１２２は接着テープ、エポキシ樹脂、又はその他の接着剤１２３を介してキャップ１２０に取り付けられてもよい。代替的に、ガスケット１２２はその他の手段によりキャップ１２０に取り付けられてもよい。ガスケット１２２はキャップ１２０に、ガスケット開口１２７がキャップ開口１２５と重なって位置付けられるように取り付けられてもよい。いくつかの実施形態において、ガスケット開口１２７とキャップ開口１２５は円形であってもよく、実質的に軸方向に心合わせされていてもよい。
【００３４】
ガスケット開口１２７は、キャップ開口１２５より小さくてもよい。図２Ａ〜２Ｃ及び３に関して、比較的大きいキャップ開口１２５は、ヘッダ１１１のリード１３０のための空隙を提供してもよく、それによってキャップ１２０がリード１３０の１つ又は複数と接触せず、キャップ１２０とリード１３０との間の望ましくない伝導性の接続が作成されない。いくつかの実施形態において、キャップ１２０はリード１３０の１つ又は複数と接触して、特定の伝導性接続を作成するように構成されてもよい。例えば、いくつかの実施形態において、キャップ１２０はリード１３０のアースリードに伝導性があるように接続されてもよい。
【００３５】
比較的小さいガスケット開口１２７と、キャップ１２０上でのガスケット１２２の位置は、リード１３０をキャップ開口１２５に関する所望の位置に位置付けやすくする。例えば、ガスケット１２２はキャップ１２０に、ガスケット開口１２７の各々がキャップ開口１２５のうちの１つに対して略中央に位置するように取り付けられてもよい。それゆえ、例えば、リード１３０がガスケット開口１２７の中に配置されると、リード１３０はキャップ開口１２５の略中心に配置される。
【００３６】
図２Ａ〜２Ｃに示されるように、組み立てられたキャップ１２０とガスケット１２２は、リード１３０をガスケット１２２に形成された開口に挿入し、組み立てられたキャップ１２０とガスケット１２２を所定の場所に滑り込ませることによってヘッダ１１１上で位置付けられてもよい。いくつかの実施形態において、指状部１２８及び／又は延長部１２６はヘッダ１１１にはんだ付けされてもよい。例えば、指状部１２８の各々の長さに沿った各々の面がヘッダ１１１にはんだ付けされてもよい。代替的又は追加的に、延長部１２６の両面が、延長部１２６がヘッダ１１１に近いか、それと接触する場所でヘッダ１１１にはんだ付けされてもよい。
【００３７】
図４は、ＴＯＳＡ１０８、キャップ１２０、ガスケット１２２、ＰＣＢ１１０、及びコネクタ１１６の分解斜視図である。いくつかの実施形態において、コネクタ１１６は組立工程ステップとしてＰＣＢ１１０にはんだ付けされてもよい。いくつかの実施形態において、組み立てられたＴＯＳＡ１０８、キャップ１２０、及びガスケット１２２はその後のステップで、組み立てられたコネクタ１１６とＰＣＢ１１０にはんだ付けされてもよい。ガスケット１２２は、コネクタ１１６がキャップ１２０との伝導性接続を作成しないようにしてもよい。いくつかの実施形態において、ガスケット１２２は、コネクタ１１６とキャップ１２０との間の特定の伝導性接続を容易にしてもよい。例えば、コネクタ１１６のアースがキャップ１２０との伝導性接続を形成してもよい。
【００３８】
図１Ａ〜１Ｃで示されるように、組み立てられたＴＯＳＡ１０８とＰＣＢ１１０は、外郭１０４とパッド１２４に対して位置付けられ、固定されてもよい。その他の構成部品、例えばＲＯＳＡ１０９、ラッチ機構１１４、及び外郭カバー１０６もまた、外郭１０４に対して位置付けられ、固定されて、組み立てられた光電子モジュール１００を形成してもよい。
【図１Ａ】
2019516234.tif 000003
【図１Ｂ】
2019516234.tif 000004
【図１Ｃ】
2019516234.tif 000005
【図２Ａ】
2019516234.tif 000006
【図２Ｂ】
2019516234.tif 000007
【図２Ｃ】
2019516234.tif 000008
【図３】
2019516234.tif 000009
【図４】
2019516234.tif 000010
【国際調査報告】
2019516234.tif 000011
2019516234.tif 000012
2019516234.tif 000013